(57)【要約】【課題】基礎コンクリートと木製土台とをアンカーボルトを介して固定する建物基礎構造において、木痩せによる木製土台のがたつきを防止し、木製土台のボルト挿通孔への湿気、水、腐朽菌、白蟻等の侵入を阻止し、耐久性を飛躍的に高める手段を提供する。【解決手段】木製土台３のボルト挿通孔３ａが基礎コンクリート１に植設されたアンカーボルトよりも径大に構成され、ボルト挿通孔３ａとアンカーボルト２との隙間ｔにコーキング剤７が充填されてなる。【選択図】図１
2010084352.tif 000002
【特許請求の範囲】
【請求項１】
基礎コンクリート上に配置する木製土台のボルト挿通孔に、該基礎コンクリートに植設されたアンカーボルトを貫通し、このアンカーボルトの上方突出した頂部にナットを螺合緊締して前記木製土台を基礎コンクリートに固定する建物基礎構造において、
前記木製土台のボルト挿通孔が前記アンカーボルトよりも径大に構成され、該ボルト挿通孔とアンカーボルトとの隙間にコーキング剤が充填されてなることを特徴とする建物基礎構造。
【請求項２】
前記コーキング剤が接着機能を持つ硬化性液状樹脂材料からなる請求項１に記載の建物基礎構造。
【請求項３】
基礎コンクリートと木製土台との間に基礎スペーサーが介在すると共に、該基礎スペーサーのボルト挿通部の内側に、前記アンカーボルトに外嵌するリング状パッキンが配置されてなる請求項１又は２に記載の建物基礎構造。
【請求項４】
前記基礎コンクリートが床下空間を形成しない平地式基礎であり、前記基礎スペーサーが該基礎コンクリートと木製土台との間を土台全長にわたって封止するパッキンをなす請求項３に記載の建物基礎構造。
【請求項５】
前記アンカーボルトの頂部から前記ナットの外周部にわたり、グリス入りキャップが冠着されてなる請求項１〜４のいずれか１項に記載の建物基礎構造。
【発明の詳細な説明】
【技術分野】
【０００１】
この発明は、木造建物の基礎構造，詳しくは基礎コンクリートと木製土台とのアンカーボルトによる固定構造に関する。
【背景技術】
【０００２】
一般的に、木造建物の基礎部においては、基礎コンクリートにアンカーボルトを所定間隔で垂直に植設する一方、角材の如き木製土台にボルト挿通孔を穿設し、このボルト挿通孔にアンカーボルトが貫通する形で木製土台を基礎コンクリート上に基礎パッキンを介して配置し、該アンカーボルトの上方突出した頂部にナットを螺合して締め付けることにより、該木製土台を基礎コンクリートに固定している（特許文献１，２）。
【０００３】
そして、このような基礎構造では、基礎コンクリート側のアンカーボルトの位置を厳密に設定することが困難であるため、該アンカーボルトの径（例えば１２ｍｍ）に対して木製土台のボルト挿通孔を径大（例えば１８ｍｍ）に設定し、この径差によってアンカーボルトの位置ずれを吸収するようにしている。
【０００４】
しかるに、概して木製土台は経時的に木痩せを生じるため、従来の基礎構造にあっては、ナットによる締め付け力が低下してがたつき易くなると共に、ボルト挿通孔とアンカーボルトとの隙間が外部に通じ、この隙間に空気中の湿気や結露水等が侵入してアンカーボルトの錆化を速めたり、腐朽菌や白蟻等の侵入によって木質が中心部から蝕まれるといった問題があった。
【特許文献１】特開２０００−１４４９３９
【特許文献２】特開２００４−２５０９６６
【発明の開示】
【発明が解決しようとする課題】
【０００５】
この発明は、上述の事情に鑑みて、基礎コンクリートと木製土台とをアンカーボルトを介して固定する建物基礎構造において、木痩せによる木製土台のがたつきを防止すると共に、木製土台のボルト挿通孔への湿気、水、腐朽菌、白蟻等の侵入を阻止し、もってアンカーボルトの錆化ならびに木製土台の中心部からの蝕みを防止し、該基礎構造の耐久性を飛躍的に高めることを目的としている。
【課題を解決するための手段】
【０００６】
上記目的を達成するために、この発明は以下の手段を提供する。
【０００７】
〔１〕基礎コンクリート上に配置する木製土台のボルト挿通孔に、該基礎コンクリートに植設されたアンカーボルトを貫通し、このアンカーボルトの上方突出した頂部にナットを螺合緊締して前記木製土台を基礎コンクリートに固定する建物基礎構造において、前記木製土台のボルト挿通孔が前記アンカーボルトよりも径大に構成され、該ボルト挿通孔とアンカーボルトとの隙間にコーキング剤が充填されてなることを特徴とする建物基礎構造。
【０００８】
〔２〕前記コーキング剤が接着機能を持つ硬化性液状樹脂材料からなる前項１に記載の建物基礎構造。
【０００９】
〔３〕基礎コンクリートと木製土台との間に基礎スペーサーが介在すると共に、該基礎スペーサーのボルト挿通部の内側に、前記アンカーボルトに外嵌するリング状パッキンが配置されてなる前項１又は２に記載の建物基礎構造。
【００１０】
〔４〕前記基礎コンクリートが床下空間を形成しない平地式基礎であり、前記基礎スペーサーが該基礎コンクリートと木製土台との間を土台全長にわたって封止するパッキンをなす前項３に記載の建物基礎構造。
【００１１】
〔５〕前記アンカーボルトの頂部から前記ナットの外周部にわたり、グリス入りキャップが冠着されてなる前項１〜４のいずれか１項に記載の建物基礎構造。
【発明の効果】
【００１２】
〔１〕の発明に係る建物基礎構造では、木製土台のボルト挿通孔がアンカーボルトよりも径大に構成されることで、その径差によって施工時にアンカーボルトの位置ずれを吸収できるが、施工後の該ボルト挿通孔とアンカーボルトとの隙間にはコーキング剤が充填しているため、径大のボルト挿通孔による断面欠損がコーキング剤で補完され、それだけ木製土台の強度が向上する上、該木製土台に木痩せを生じてもがたつかず、また空気中の湿気や結露水がボルト挿通孔から木製土台の中心部に入り込むことがなく、もってアンカーボルトの錆化が防止されると共に、木製土台の中心部への腐朽菌や白蟻等の侵入も阻止され、建物基礎部の耐久性が大きく向上する。
【００１３】
〔２〕の発明によれば、前記コーキング剤が接着機能を持つ硬化性液状樹脂材料からなるため、木製土台とアンカーボルトとが強固に接合する上、樹脂液が木質にまで浸透して固化するから、木製土台の強度がより増大し、アンカーボルトの錆化防止作用もより強くなると共に、木製土台への腐朽菌や白蟻等の侵入防止作用がより大きくなる。
【００１４】
〔３〕の発明によれば、基礎コンクリートと木製土台との間に介在する基礎スペーサーのボルト挿通部の内側にリング状パッキンが配置するから、ボルト挿通孔とアンカーボルトとの隙間に充填されたコーキング剤が該隙間の底部側から漏出するのを阻止できると共に、基礎コンクリートから突出したアンカーボルトが根元まで空気遮断され、その根元の錆化も防止される。
【００１５】
〔４〕の発明によれば、基礎コンクリートが床下空間を形成しない平地式基礎であるため、概して木製土台の位置が低くなるが、前記基礎スペーサーがパッキンとして該基礎コンクリートと木製土台との間を土台全長にわたって封止するから、土台下の隙間から湿気が屋内へ侵入するのを防止できる。
【００１６】
〔５〕の発明によれば、アンカーボルトの頂部から前記ナットの外周部にわたる部分が、グリス入りキャップによって長期にわたって錆止めされるから、建物基礎部の耐久性がより向上する。
【発明を実施するための最良の形態】
【００１７】
以下、この発明に係る建物基礎構造の実施形態について、図面を参照して具体的に説明する。図１は建物基礎構造の縦断側面図、図２及び図３は該基礎構造の構築操作を順次示す縦断側面図である。
【００１８】
図１において、１は床下空間を形成しない平地式基礎の基礎コンクリートであり、その周辺部に沿って所定間隔置きにアンカーボルト２が垂直に植設されている。そして、この基礎コンクリート１上に、角材からなる木製土台３が基礎スペーサー４を介して水平配置されると共に、該木製土台３に穿設されたボルト挿通孔３ａにアンカーボルト２が上下方向に貫通し、該アンカーボルト２の上方突出した頂部２ａに螺合緊締されたナット５がワッシャー６を介して木製土台３の上面に押接している。
【００１９】
しかして、アンカーボルト２の径φ１（例えば１２ｍｍ）に対し、木製土台３のボルト挿通孔３ａの径φ２が大きく（例えば１８ｍｍに）設定されており、両者間の隙間ｔにコーキング剤７が充填されている。また、木製土台３から突出したアンカーボルト２の頂部２ａからナット５の外周部にわたり、グリス８入りのプラスチック製キャップ９が冠着されている。
【００２０】
また、基礎スペーサー４は、半硬質ゴム等の弾性材料からなる帯板状で、パッキンとして木製土台３の全長にわたって当該木製土台３と基礎コンクリート１との間を封止している。そして、この基礎スペーサー４の要所には上下に透通する径大穴をなすボルト挿通部４ａが形成され、該ボルト挿通部４ａの内側に軟質ゴム等のエラストマーからなるリング状パッキン１０がアンカーボルト２に外嵌して配置している。なお、該リング状パッキン１０は木製土台３のボルト挿通孔３ａと略等しい内径に設定され、この内周とアンカーボルト２との隙間までコーキング剤７が充填されている。
【００２１】
上記の建物基礎構造を構築するには、まず図２に示すように、アンカーボルト１を植設した基礎コンクリート１の周辺部上に、基礎スペーサー４をそのボルト挿通部４ａにアンカーボルト１が挿通するように載置すると共に、該アンカーボルト１にリング状パッキン１０を嵌装して基礎スペーサー４のボルト挿通部４ａの内側に嵌め込み、その上に木製土台３をアンカーボルト２がボルト挿通孔３ａに貫通する形で載置する。このとき、既述のようにアンカーボルト２の径φ１（例えば１２ｍｍ）に対し、木製土台３のボルト挿通孔３ａの径φ２が大きい（例えば１８ｍｍ）ことにより、アンカーボルト２の位置精度が多少悪くともボルト挿通孔３ａに入り込ませることができる。
【００２２】
次に図３に示すように、木製土台３のボルト挿通孔３ａとこれに挿嵌したアンカーボルト２との隙間ｔの全体に、適当な注入具１１によってコーキング剤７を注入充填した上で、木製土台３から上方突出したアンカーボルト２の頂部２ａにワッシャー６を介してナット５を螺合緊締し、その上に更にグリス８入りのキャップ９を冠着する。
【００２３】
このような建物基礎構造では、木製土台３のボルト挿通孔３ａとアンカーボルト２との隙間ｔにコーキング剤７が充填しているため、径大のボルト挿通孔３ａによる木製土台３の断面欠損分が該コーキング剤７で補完され、それだけ木製土台３の強度が向上することに加え、経時的に該木製土台３の木痩せを生じても、木製土台３とアンカーボルト２とがコーキング剤７を介して一体化しているので、木製土台３はがたつきを生じない。しかも、ボルト挿通孔３ａの前記隙間ｔがコーキング剤７で埋まっているから、空気中の湿気や結露水がボルト挿通孔３ａから木製土台３の中心部に入り込むことがなく、もってアンカーボルト２の錆化が防止されると共に、木製土台３の中心部への腐朽菌や白蟻等の侵入も阻止され、これらによって建物基礎部の耐久性が大きく向上することになる。
【００２４】
ここで、コーキング剤７としては、樹脂成分を含む硬化性材料であれば特に制約はなく、固形粒子を高率で含むペースト状ないしクリーム状の所謂パテ材やシール材等も使用できるが、特に接着機能を持つ硬化性液状樹脂材料からなるものが好適である。すなわち、接着機能を持つ硬化性液状樹脂材料からなるコーキング剤では、その接着性によって木製土台３とアンカーボルト２とが強固に接合し、且つ樹脂液が木質にまで浸透して固化するから、木製土台３の強度がより増大し、アンカーボルト２の錆化防止作用もより強くなると共に、木製土台３への腐朽菌や白蟻等の侵入防止作用も増大し、またペースト状ないしクリーム状のものに比較して隙間ｔへの注入も容易である。
【００２５】
このような接着機能を持つ硬化性液状樹脂材料からなるコーキング剤としては、低粘性ボンドとして市販される各種の液状接着剤、例えばエポキシ樹脂系やポリエステル樹脂系の接着剤を好適に使用できる。
【００２６】
また、この実施形態では、基礎コンクリート１と木製土台３との間に介在する基礎スペーサー４のボルト挿通部４ａの内側にリング状パッキン１０が配置することにより、ボルト挿通孔３ａとアンカーボルト２との隙間ｔに充填されたコーキング剤７が該隙間ｔの底部側から漏出するのを阻止できる上、基礎コンクリート１から突出したアンカーボルト２が根元まで空気遮断されるため、その根元の錆化も防止される。更に、アンカーボルト２の頂部２ａとナット５も、グリス８入りのキャップ９によって外気から遮断されて長期にわたって錆止めされるから、建物基礎部の耐久性がより向上することになる。
【００２７】
なお、前記実施形態では基礎コンクリート１が床下空間を形成しない平地式基礎である場合を例示したが、この発明は一般的な布基礎やべた基礎、これら両者の組み合わせ基礎等にも適用可能であり、これらの場合には基礎スペーサーとしてアンカーボルト毎に独立した厚板状のものを使用できる。ただし、例示した平地式基礎では概して木製土台３の位置が低くなり、それだけ外気中の湿気が屋内に入り込み易いが、前記実施形態では基礎スペーサー４がパッキンとして基礎コンクリート１と木製土台３との間を土台全長にわたって封止するから、土台下の隙間から湿気が屋内へ侵入するのを防止できる。
【００２８】
更に、この発明においては、コーキング剤７の注入手段として、図２に例示した以外の様々な形態の注入具を使用できると共に、ボルト挿通孔３ａの開口部を適当に封じてコーキング剤７を隙間ｔに加圧充填する方式も採用可能である。また、リング状パッキン１０としてアンカーボルト２に内周が密接するものを用い、コーキング剤７がボルト挿通孔３ａのみに充填される構成も採用可能である。その他、この発明の建物基礎構造の細部構成については実施形態以外に種々設計変更可能である。
【図面の簡単な説明】
【００２９】
【図１】この発明の一実施形態に係る建物基礎構造を示す縦断側面図である。
【図２】同建物基礎構造の構築操作の初期段階を示す縦断側面図である。
【図３】同構築操作の中間段階を示す縦断側面図である。
【符号の説明】
【００３０】
１      基礎コンクリート
２      アンカーボルト
２ａ    頂部
３      木製土台
３ａ    ボルト挿通孔
４      基礎スペーサー
４ａ    ボルト挿通部
５      ナット
７      コーキング剤
８      グリス
９      キャップ
１０    リング状スペーサー
ｔ      隙間
【図１】
2010084352.tif 000003
【図２】
2010084352.tif 000004
【図３】
2010084352.tif 000005